(57)【要約】【課題】  屋外において色温度が異なっても正確な色度値を得ることができ色の測定誤差を減少させる。【解決手段】  色彩測定装置１は、自然光を測定しスペクトルを検出する自然光検出センサ部２と、スペクトルとＸＹＺ表色系の２次元色彩計３に設定されたＣＩＥ  ＸＹＺ等色関数と等価に線形変換された特定の三つの規格化感度とを積算して出力値とし三帯域につき出力値を演算する出力値演算部４と、三つの出力値を一定比率とする出力値調整部５と、出力値調整部５で三つの出力値を一定比率とし、撮像で感度値を取得し、感度値を特定変換マトリクスでＸＹＺ表色系の色度値に変換するＸＹＺ系表色値変換部６と、２次元色彩計３による屋外物Ｂの撮像の撮像時刻Ｔを測定する時間測定部７と、２次元色彩計３による屋外物Ｂの撮像の撮像位置Ｐを測定する位置測定部８と、２次元色彩計３による屋外物Ｂの撮像仰角Ｅ及び撮像方位Ｄを測定する仰角方位測定部９と、を備える。【選択図】図２
2019020311.tif 000002
【特許請求の範囲】
【請求項１】
自然光検出センサ部で自然光を測定し、スペクトルを検出するスペクトル検出ステップと、
前記検出されたスペクトルと、ＸＹＺ表色系の２次元色彩計に設定された、ＣＩＥ  ＸＹＺ等色関数と等価に線形変換された特定の三つの規格化感度とを積算して出力値とし、三帯域について、それぞれ、出力値を演算する出力値演算ステップと、
前記三つの出力値を一定比率とする出力値調整ステップと、
前記２次元色彩計による屋外物の撮像の撮像時刻、撮像位置、撮像仰角及び撮像方位を測定する測定ステップと、
前記出力値調整ステップにより前記三つの出力値が一定比率となるようにした後に、撮像を行うことで感度値を取得し、前記感度値を特定変換マトリクスによりＸＹＺ表色系の色度値に変換するＸＹＺ系表色値変換ステップと、
を備えたことを特徴とする色彩測定方法。
【請求項２】
第１の撮像時刻におけるＸＹＺ表色系の色度値と、第１の撮像時刻より時刻の遅い第２の撮像時刻におけるＸＹＺ表色系の色度値を比較する比較ステップを備える請求項１の色彩測定方法。
【請求項３】
前記撮像位置はグローバル・ポジショニング・システムにより測定される請求項１又は２の色彩測定方法。
【請求項４】
前記撮像仰角及び撮像方位は、ジャイロコンパス・センサにより測定される請求項１ないし３いずれかの色彩測定方法。
【請求項５】
前記一定比率が同一値である請求項１ないし４いずれかの色彩測定方法。
【請求項６】
前記三つの出力値をチャンネルゲインを制御することにより、一定比率とする請求項１ないし５いずれかの色彩測定方法。
【請求項７】
前記三つの出力値を前記三つの規格化感度のデジタル処理により、一定比率とする請求項１ないし６いずれかの色彩測定方法。
【請求項８】
自然光を測定し、スペクトルを検出する自然光検出センサ部と、
前記検出されたスペクトルと、ＸＹＺ表色系の２次元色彩計に設定された、ＣＩＥ  ＸＹＺ等色関数と等価に線形変換された特定の三つの規格化感度とを積算して出力値とし、三帯域について、それぞれ、出力値を演算する出力値演算部と、
前記三つの出力値を一定比率とする出力値調整部と、
前記出力値調整部により前記三つの出力値が一定比率となるようにした後に、撮像を行うことで感度値を取得し、前記感度値を特定変換マトリクスによりＸＹＺ表色系の色度値に変換するＸＹＺ系表色値変換部と、
前記２次元色彩計による屋外物の前記撮像の撮像時刻を測定する時間測定部と、
前記２次元色彩計による屋外物の前記撮像の撮像位置を測定する位置測定部と、
前記２次元色彩計による屋外物の前記撮像の撮像仰角及び撮像方位を測定する仰角方位測定部と、を備えたことを特徴とする色彩測定装置。
【請求項９】
第１の撮像時刻におけるＸＹＺ表色系の色度値と、第１の撮像時刻より時刻の遅い第２の撮像時刻におけるＸＹＺ表色系の色度値を比較する比較部を備える請求項８の色彩測定装置。
【請求項１０】
前記撮像位置はグローバル・ポジショニング・システムにより測定される請求項８又は９の色彩測定装置。
【請求項１１】
前記撮像仰角及び撮像方位は、ジャイロコンパス・センサにより測定される請求項８ないし１０いずれかの色彩測定装置。
【請求項１２】
前記一定比率が同一値である請求項８ないし１１いずれかの色彩測定装置。
【請求項１３】
前記三つの出力値をチャンネルゲインを制御することにより、一定比率とする請求項８ないし１２いずれかの色彩測定装置。
【請求項１４】
前記三つの出力値を前記三つの規格化感度のデジタル処理により、一定比率とする請求項８ないし１３いずれかの色彩測定装置。
【発明の詳細な説明】
【技術分野】
【０００１】
本発明は、現行の分光測色計では困難であった屋外での測定対象物（例えば、建物、建機、飛行機、列車、橋梁など、特に大型）の全体の色の測定（以下測色という）を行う色彩測定方法及び色彩測定装置に関するものである。
【０００２】
本発明は、色彩測定方法及び色彩測定装置、特に、屋外物の色について、簡便に定量化する色彩測定方法及び色彩測定装置に関する。
【背景技術】
【０００３】
従来の色彩測定方法及び色彩測定装置は、管理された照明光下での色の測定となり、暗室内での測定や、ハンディータイプでは、積分球タイプの半円の自然光下での測定が行われている。例えば、印刷分野ではＤ５０光源下で撮影することが標準である。
【０００４】
静岡大学の色忠実再現技術を利用した２次元色彩計を用いることにより、広範囲に同時に色測定可能で、しかも色分布の一致度等の解析機能を付加することにより、住宅用の建材や、自動車のメタリック塗装等への応用が、可能となっている。
【０００５】
例えば、特許文献１に示す、本出願人が開発した２次元色彩計については、分光測色計と同様に、半円形のドーム拡散照明を、フェルトラバーの覆いで、外光を遮断して、測定する。特許文献１において、出願人は、色・質感といった感性領域までの「忠実色再現技術」をさらに進歩させ、自動車業界（自動車外装塗装色の各パーツ（バンパーとフェンダーなどの色やメタリック感の違いを数値化）、家電業界（自動車と同様）、化粧品業界（女性の肌質評価用指標）、印刷業界（刷り上がりと、オリジナルとの対象商品ごとの比較）、建設資材（生木の建材の木目感を含めた統一性の指標化）等の異分野に対応できる発明を提案している。
【０００６】
この２次元色彩計の人の眼の感度での測定方式は、マクベスチャート等の色管理されたチャート（２４色）を同じ光源下の同一視点より観測し、それぞれの分光感度三帯域のＳ１２３の出力を求める。２次元色彩計の分光感度は、国立大学法人静岡大学が提案した図１に示す分光感度特性となる。分光測色計とは異なり色の分布についてのデータを取ることにより、平均的な色度値だけでなく、色の広がり感など対象に対する質感についての知見が得られる。或いは、分光輝度計や分光測色計でＸＹＺ値を求めることもある。
【先行技術文献】
【特許文献】
【０００７】
【特許文献１】特開2016−194456号公報
【発明の概要】
【発明が解決しようとする課題】
【０００８】
現在、屋外にて測色をするための測定器は分光測色計が最も普及しているが、分光測色計は、自然光の影響をなくすために照明を内蔵した接触型のため、測色精度は高いが、測定範囲が狭く、大型建機、飛行機、列車などの大型測定対象物全体の測色が不可能である。さらに、分光測色計は、原理上ある面積の色度値の平均値を算出することとなり、住宅やビルの外壁などテクスチャーがあるものについて、さらに困難な状況にあった。
【０００９】
屋外で測色する場合、具体的には、光源を内蔵した分光測色計は、分光器とＬＥＤ照明を内蔵し、外乱光が入らないように、対象を測定する方式の測色計であり、図２２に示す通り、屋外光を遮断する素材で覆って、内部から発する光で測定する必要がある。晴れた日の屋外の太陽光は、６５００Ｋ程度の色温度であるため、屋外で色を測定する場合、室内での色温度（例えば、５０００Ｋ）とは大きく異なる。従来の分光測色計では、色の測定誤差が大きくなり、屋外での色の正確な測定が困難であった。
【００１０】
上述の分光測色計の構造により、光が漏れると正確な色測定は出来ず、大きな建物などの色測定については、物理的に測定も出来ない。色の測定値は、ある一定の面積の平均値を測定するため、ベタ色の反射色は高精度に測定が可能であるが、テクスチャーやメタリックがあるものの測定は、ばらつきが生じる。例えば、建物のように、一定の色ではなく、色が分布しているようなものに対しては、平均的な色値（Lab値）を提示するため、素材としての質感についての評価は出来ない。特に、屋外の大型の土木構造物、建築物、建機などの色については、適応範囲外としていた。
【００１１】
また一方、市販のデジタルカメラ又は市販の２次元色彩計においては、Ｄ５０光源からＤ６５光源に自然光を変換した後の測定誤差も元のＤ５０光源も同様にｘｙ値の測定誤差が大きい。
【００１２】
特許文献１の色忠実再現技術を利用した２次元色彩計は、カメラ方式の測色の利点である非接触での測定であり、閉鎖された測定室での測定でない限り、色の測定が困難である。また、管理された照明を必要とするもので、カメラ方式である二次元色彩の非接触である点を活かし切れておらず、自然光での色度値を、一定条件で測色するといった管理された条件での測色はできなかった。このような理由により、特許文献１の方式では、屋外などの建物の色や巨大な装置（大きなクレーン）の色などの測定は出来ないため、屋外の自然光（太陽光）等で利用する目的での利用は困難である。屋外での測色を希望する建築や大型建機等の分野では、自然光での測定値が、一定の色温度（D50）でのデータに変換できないか、また、色の温度変換補正を簡便に精度良く行うことはできないかといった要望がある。
【００１３】
さらに、インフラ関連に目を向けると高度成長期に建設されたトンネルや橋梁等の劣化による事故が散見され、社会問題となっている。道路公団、鉄道会社および行政機関等は、その保守、保全に大きなコストと時間を割いており、劣化診断の主流は目視検査と打音検査のため、大型橋梁や大型トンネルの検査は大変困難となっている。さらにドローンの活用等の他の様々な方法が検討されているが、人手に換わる決め手はまだない。
【００１４】
そこで、本発明は、屋外で正確な色度値を得ることを目的とし、管理下の照明なしでも、屋外の色の測定を可能とし、色の測定誤差を減少させることを目的とする。
【課題を解決するための手段】
【００１５】
本発明は、２次元色彩計での撮像と、小型分光器での自然光のスペクトル測定をすることに特徴があり、撮像時の自然光の色温度に応じて、２次元色彩計の３つのチャンネルゲインＳ１gain，Ｓ２gain，Ｓ３gainを変換するか３つの規格化感度をデジタル処理して、三帯域の３つの出力値を特定の比率に変換することにより、上記課題を解決した発明である。
【００１６】
本発明の色彩測定方法は、自然光検出センサ部で自然光を測定し、スペクトルを検出するスペクトル検出ステップと、前記検出されたスペクトルと、ＸＹＺ表色系の２次元色彩計に設定された、ＣＩＥ  ＸＹＺ等色関数と等価に線形変換された特定の三つの規格化感度とを積算して出力値とし、三帯域について、それぞれ、出力値を演算する出力値演算ステップと、前記三つの出力値を一定比率とする出力値調整ステップと、前記２次元色彩計による屋外物の撮像の撮像時刻、撮像位置、撮像仰角及び撮像方位を測定する測定ステップと、前記出力値調整ステップにより前記三つの出力値が一定比率となるようにした後に、撮像を行うことで感度値を取得し、前記感度値を特定変換マトリクスによりＸＹＺ表色系の色度値に変換するＸＹＺ系表色値変換ステップと、を備えたことを特徴とする。
【００１７】
第１の撮像時刻におけるＸＹＺ表色系の色度値と、第１の撮像時刻より時刻の遅い第２の撮像時刻におけるＸＹＺ表色系の色度値を比較する比較ステップを備えることが好ましい。
【００１８】
前記撮像位置はグローバル・ポジショニング・システムにより測定されることが好ましい。
【００１９】
前記撮像仰角及び撮像方位は、ジャイロコンパス・センサにより測定されることが好ましい。
【００２０】
前記一定比率が同一値であることが好ましい。
【００２１】
前記三つの出力値をチャンネルゲインを制御することにより、一定比率とすることが好ましい。
【００２２】
前記三つの出力値を前記三つの規格化感度のデジタル処理により、一定比率とすることが好ましい。
【００２３】
「三つの感度値」は、単数の画素の感度値、又は、複数の画素の感度値の平均値を用いる。精度が高い場合には単数、精度が高い場合を除く場合には、平均値を用いることが好ましい。平均値の場合には、前記それぞれの感度値の平均値を演算する感度平均値演算ステップと、前記チャンネルゲインを制御することにより、前記三つの感度平均値を一定比率とする感度値調整ステップと、を備えることが好ましい。
【００２４】
前記出力値調整ステップにおいて、一定比率とした後、特定変換マトリクスを作成し記憶する特定変換マトリクス作成ステップを備え、第１の色温度の光源下で出力値調整ステップとＸＹＺ系表色値変換ステップを行った後、第２の色温度の光源下で、前記特定変換マトリクスと同一の変換マトリクスを用いて、ＸＹＺ表色系の色度値に変換することが好ましい。
【００２５】
本発明の色彩測定装置は、自然光を測定し、スペクトルを検出する自然光検出センサ部と、前記検出されたスペクトルと、ＸＹＺ表色系の２次元色彩計に設定された、ＣＩＥ  ＸＹＺ等色関数と等価に線形変換された特定の三つの規格化感度とを積算して出力値とし、三帯域について、それぞれ、出力値を演算する出力値演算部と、前記三つの出力値を一定比率とする出力値調整部と、前記出力値調整部により前記三つの出力値が一定比率となるようにした後に、撮像を行うことで感度値を取得し、前記感度値を特定変換マトリクスによりＸＹＺ表色系の色度値に変換するＸＹＺ系表色値変換部と、前記２次元色彩計による屋外物の前記撮像の撮像時刻を測定する時間測定部と、前記２次元色彩計による屋外物の前記撮像の撮像位置を測定する位置測定部と、前記２次元色彩計による屋外物の前記撮像の撮像仰角及び撮像方位を測定する仰角方位測定部と、を備えたことを特徴とする。
【００２６】
第１の撮像時刻におけるＸＹＺ表色系の色度値と、第１の撮像時刻より時刻の遅い第２の撮像時刻におけるＸＹＺ表色系の色度値を比較する比較部を備えることが好ましい。
【００２７】
前記撮像位置はグローバル・ポジショニング・システムにより測定されることが好ましい。
【００２８】
前記撮像仰角及び撮像方位は、ジャイロコンパス・センサにより測定されることが好ましい。
【００２９】
前記一定比率が同一値であることが好ましい。
【００３０】
前記三つの出力値をチャンネルゲインを制御することにより、一定比率とすることが好ましい。
【００３１】
前記三つの出力値を前記三つの規格化感度のデジタル処理により、一定比率とすることが好ましい。
【００３２】
本明細書で用いる字句の定義は以下の通りである。
【００３３】
「２次元色彩計」は、図１に示す三つの特定の規格化感度（Ｓ１(λ)，Ｓ２(λ)，Ｓ３(λ)）により、三つのチャンネルに分けて撮像対象物を撮像するものである。これらの分光感度を得るために設定された光学フィルタ又はダイクロイックミラーもしくはダイクロイックプリズム等のいずれであるかを問わず用いることができる。
【００３４】
「感度値」はＣＭＯＳセンサー等の撮像素子の電子量を示すアナログ信号をA／D変換によりデジタル信号に変換した値である（画素値とも呼ばれる）。「画素カウント値」は撮像素子の各画素の数を計数したカウント値である。
【００３５】
「規格化感度」（Ｓ１(λ)，Ｓ２(λ)，Ｓ３(λ)）は、図１に示す通り、ＣＩＥ  ＸＹＺ分光特性から負の値を持たない、単独ピークを持つ山形であり、それぞれの分光感度曲線のピーク値が等しく、かつ分光感度の曲線の重なりは最小限にするという条件から等価変換したものであって、分光特性Ｓ１のカーブは、ピーク波長が５８２ｎｍであり、半値幅が５２３〜６２９ｎｍであり、１／１０幅が４９１〜６６３ｎｍである。分光特性Ｓ２のカーブは、ピーク波長が５４３ｎｍであり、半値幅が５０６〜５８９ｎｍであり、１／１０幅が４６４〜６３２ｎｍである。分光特性Ｓ３のカーブは、ピーク波長が４４６ｎｍであり、半値幅が４２３〜４７８ｎｍであり、１／１０幅が４０９〜５０８ｎｍである。
【００３６】
「特定変換マトリクス」は、理論的には、１つでまかなえるものであり、後述、数式１に示すマトリクスである。ただし、Ｓ１，Ｓ２，Ｓ３カーブが各自然色温度で、理想的なカーブからの誤差があるため、各色温度毎に、補正した変換マトリクスを用いることもできる。２次元色彩計が理想的なＳ１，Ｓ２，Ｓ３のカーブを持てば、１つのマトリクスで、事足りるとする前提とすることもできる。
【００３７】
「ＸＹＺ表色系」は、ＲＧＢ表色系を単純な一次変換で負の値が現れないように、ＣＩＥが１９３１年にＲＧＢ表色系と同時に定めたものである。「ＸＹＺ表色系」は、例えば、ｘｙＹ、Ｙｘｙ、ＸＹＺ、Ｌａｂ、Ｌｕｖ等のＣＩＥ表色系を含み、２次元色度図又は３次元色空間を含む概念である。
【００３８】
「ＸＹＺ表色系」には、２次元座標と３次元座標で規定される色空間が含まれる。色空間の代表例としては、ＸＹＺ色空間と、Ｌａｂ色空間等の構成例がある。２次元の色空間の場合、例えば、Ｙｘｙ色空間、Ｌｕｖ色空間の場合、２次元平面であるｘｙ色度図（Ｙｘｙ色空間で正規化したｘｙ色度値（平面））、ｕｖ色度図、ｕ’ｖ’色度図が挙げられる。平面上での２次元色度図の画素カウント値の密度として表現されるｘｙ色度ヒストグラム分布又はＬｕｖ色度ヒストグラム分布等が対応する。３次元の色空間の場合、例えば、ＸＹＺ色空間、Ｌａｂ色空間が挙げられる。３次元での色空間上の画素カウントの密度にはＸＹＺ色空間ヒストグラム、又はＬａｂ色空間ヒストグラム分布等が対応する。
【００３９】
「色空間」は、色は３つの独立な量で指定できるが、それぞれの量の大きさを３つの軸方向の原点からの距離で表すと、色を空間の１点の座標として指定できる空間である。
【００４０】
ｘｙＹ表色系（Ｙｘｙ表色系ともいう）は、ＸＹＺ表色系では数値と色の関連がわかりにくいので、ＸＹＺ表色系から絶対的な色合いを表現するために定められたものである。
【００４１】
Ｌｕｖ表色系は、ＣＩＥが１９７６年に定めた均等色空間のひとつであり、ＣＩＥＬ＊ｕ＊ｖ＊は光の波長を基礎に、ＸＹＺ表色系のｘｙ色度図の波長間隔の均等性を改善したものである。日本ではJIS Z8518に規定されている。
【００４２】
Ｌａｂ表色系は、ＣＩＥ  Ｌ＊ａ＊ｂ＊であり、ＸＹＺ表色系から知覚と装置の違いによる色差を測定するために派生したものである。日本ではJIS Z 8729に規定されている。この表色系は、先のＸＹＺ表色系が、色空間上の人の目の色識別感度が不均等なため、これを是正するために制定され、この空間で計測された色差は広く使われている。一般にLab値はこのL*a*b*値のこととされている。
【００４３】
測色計は、測定したい対象物からの光を測定して、色空間における座標として出力する測定器である。
【００４４】
「ＸＹＺ表色系」は、CIE（国際照明委員会）が、RGB表色系を単純な一次変換で負の値が現れないように定めたものであり、ＸＹＺ表色系で、x=X/(X+Y+Z),y=Y/(X+Y+Z)と正規化し、Ｙｘｙと定めたものが一般的に使われている。
【００４５】
「色差（ΔＥ）」は、ふたつの色の違いを、色空間での距離で表したものである。色は色空間における座標で表される。色の違いが大きいと、色空間における２点の距離も大きい。現在はΔＥ２０００という定義が広く用いられている。
【００４６】
「色温度」は、太陽光や自然光、人工的な照明などの光源が発する光の色を表すための尺度である。色温度の単位(K)が低いほど暖色系の色を発し、高いほど寒色系の色を発する。
【００４７】
「Ｄ５０光源」は、真昼の自然光の一例の数学的表現であり、色温度が5000Kである。
【００４８】
「Ｄ６５光源」は、曇天の自然光の一例の数学的表現であり、色温度が6500Kである。
【００４９】
本発明により、白色値（例えば、Ｄ６５光源）の出力を、他の色温度（例えば、Ｄ５０光源）と同じにするように、変換マトリクスを求めた。そして、他の出力、例えば、Ｄ２０００、Ｄ６０００等も、同じ出力が得られるため、結果として、どのような天候の状況に対応する色温度でも、同じ色度値が得られる。
【００５０】
本発明によれば、Ｄ５０光源からＤ６５光源に自然光を変換した後の測定誤差も元のＤ５０光源と精度は大きく変わらず、かつ、コニカミノルタ（登録商標）ＣＳ−２０００（以下、ＣＳ−２０００と略す）に近い正確な色の測定値となる。
【００５１】
本発明は、小型分光器を利用して、照光環境の色温度を測定することにより、照明環境の計測と、2次元色彩計の2次元色彩データを、同時測定が可能となり、太陽光が雲に瞬間隠れるような、校正と撮影の時間差による測定誤差を最小にすることが可能となる。
【００５２】
「２次元色彩計」は、分光器を、２次元色彩計に内蔵した構造、又は、２次元色彩計に脱着可能とした構造、２次元色彩計に接続する構造のいずれでもよい。
【００５３】
「同一値」の場合、感度平均値又は出力値の誤差の範囲は＋５％から−５％とする。３つの感度平均値又は出力値が同一になるようにすれば、精度は上がる。ソフトウェア制御で感度平均値又は出力値が一定になるように調整するアルゴリズムを持たせることは可能である。
【００５４】
前記三つの出力値をチャンネルゲインを制御することにより、一定比率とすることが好ましい。
【００５５】
「チャンネルゲイン」は、各帯域に対応する撮像素子の電気信号の増幅率をいう。電気信号にはアナログ信号又はデジタル信号のいずれも含む。
【００５６】
前記三つの出力値を前記三つの規格化感度のデジタル処理により、一定比率とすることが好ましい。当業者であれば詳細な説明なしにデジタル処理の内容は実施できる。
【００５７】
撮像時刻は、例えば２０１７年７月２０日等の年月日が挙げられ、時、分又は時、分、秒の情報も追加してもよい。撮像位置は、GPS、基地局、パーソナルコンピューター、カーナビゲーション又はWi-Fiを用いた位置情報等が挙げられる。
【発明の効果】
【００５８】
本発明は、管理下の照明なしに、かつ、屋外の気象条件に依らず、同じ場所の色は、同じ色度値が得られるため、色度値の定量化が可能になる、屋外で正確な色度値を得ることができる。屋外の色を簡便に定点観測することが出来る。さらに、屋外でこれまで色の測定が出来なかった対象に対し、誤差の少ない、色の定量化が可能となるので、非接触で広範囲な屋外対象物を正確に測色できる。
【００５９】
本発明の色温度の補正により、自然光の影響を補正、例えば、朝日や夕日または曇り空で測色して環境補正を行うことで、例えば、晴天の昼間に測色したデータとすることができる。たとえば、屋外の色温度の変化に依らないため、白色値以外の出力信号も、白色値と同様に、常に一定の色度値の数値を得ることができる。これにより、自然光（太陽光）下で一定の色温度での測定値を得ることが可能になり、定期的な色管理・数値管理が可能になった。
【００６０】
色温度一定の条件で、色の測定が可能となるため、大型測定対象物について、色の変化を捉えることができるようになる。自然光の影響を受けないため専用の照明が不要で、常に一定の色温度下のデータの定量的な解析が行える。
【図面の簡単な説明】
【００６１】
【図１】ＸＹＺ表色系の２次元色彩計の分光感度を示す関数図である。
【図２】本発明実施形態の色彩測定装置のブロック図である。
【図３】本発明実施形態の２次元色彩計３の回路と周辺部のブロック図である。
【図４】本発明実施形態において三つの分光感度（Ｓ１(λ)、Ｓ２(λ)、Ｓ３(λ)）に従って画像情報を演算する方式の具体例である。（ａ）はダイクロイックミラーを用いる場合の説明図である。（ｂ）はフィルタターレットを用いる場合の説明図である。（ｃ）は光学フィルタ３２ａ、３２ｂ、３２ｃを撮像素子３３に微視的に貼着した場合の説明図である。
【図５】本発明実施形態の色彩測定装置の仰角と方位の測定を示す概念図である。
【図６】本発明実施形態の色彩測定装置の仰角と方位の測定を示すフローチャートである。
【図７】本発明実施形態の色彩測定装置の２次元色彩計のフローチャートである。
【図８】２次元色彩計３の表示部３５の操作画面の説明図である。
【図９】（ａ）（ｂ）は、２次元色彩計３の色温度の変化に伴うチャンネルゲインの変化を示す説明図である。
【図１０】チャンネルゲイン制御の前後の感度値Ｓ１２３に対する画素カウント値のヒストグラム分布である。
【図１１】本発明実施形態の演算部３４におけるサブーチャートである。
【図１２】本発明実施形態の演算部３４における５０００Ｋでの処理を示す説明図である。
【図１３】本発明実施形態の演算部３４における６５００Ｋでの処理を示す説明図である。
【図１４】本発明実施形態のコンピュータ１５におけるＧＰＳ位置測定を示すサブーチャートである。
【図１５】市販デジタルカメラのＤ５０光源下及びＤ６５光源下でのｘｙ値と、ＣＳ２０００のＤ５０光源下及びＤ６５光源下でのｘｙ値の色度比較図表である。
【図１６】図１５に対応するｘｙ色度図である。
【図１７】本発明実施形態の２次元色彩計３のＤ５０光源下と、ゲイン制御前のＤ６５光源下での、ｘｙ値の色度比較図である。
【図１８】図１７に対応するｘｙ色度図である。
【図１９】本発明実施形態の２次元色彩計３のＤ５０光源下及びＤ６５光源下でのｘｙ値と、ＣＳ２０００のＤ５０光源下及びＤ６５光源下でのｘｙ値の色度比較図表である。
【図２０】図１９に対応するｘｙ色度図である。
【図２１】２次元色彩計３の単純白色校正を行ったＬａｂでの結果を示す、市販カラーチェッカーによる画面図である。
【図２２】従来の分光測色計の構造を示す説明図である。
【発明を実施するための形態】
【００６２】
本発明の好適な実施形態による色彩測定方法及び色彩測定装置１について図１〜図１３を参照して説明する。本実施形態の色彩測定方法は、図２、図７、図１１〜図１３等に示す通り、自然光検出センサ部２で自然光を測定し、スペクトルを検出するスペクトル検出ステップと、検出されたスペクトルと、ＸＹＺ表色系の２次元色彩計３に設定された、ＣＩＥ  ＸＹＺ等色関数と等価に線形変換された特定の三つの規格化感度とを積算して出力値とし、三帯域について、それぞれ、出力値を演算する出力値演算ステップと、三つの出力値を一定比率とする出力値調整ステップと、２次元色彩計３による屋外物Ｂの撮像の撮像時刻Ｔ、撮像位置Ｐ、撮像仰角Ｅ及び撮像方位Ｄを測定する測定ステップと、出力値調整ステップにより三つの出力値が一定比率となるようにした後に、撮像を行うことで感度値を取得し、感度値を特定変換マトリクスによりＸＹＺ表色系の色度値に変換するＸＹＺ系表色値変換ステップと、を備えたことを特徴とする。
【００６３】
第１の撮像時刻Ｔ1におけるＸＹＺ表色系の色度値と、第１の撮像時刻Ｔ1より時刻の遅い第２の撮像時刻Ｔ2におけるＸＹＺ表色系の色度値を比較する比較ステップを備える。
【００６４】
撮像位置Ｐはグローバル・ポジショニング・システム（以下、ＧＰＳと略す。）により測定される。
【００６５】
撮像仰角Ｅ及び撮像方位Ｄは、ジャイロコンパス・センサにより測定される。
【００６６】
一定比率が同一値である。
【００６７】
三つの出力値をチャンネルゲインを制御することにより、一定比率とする。
【００６８】
三つの出力値を三つの規格化感度のデジタル処理により、一定比率としてもよい。
【００６９】
「三つの感度値」は、単数の画素の感度値、又は、複数の画素の感度値の平均値を用いる。精度が高い場合には単数、精度が高い場合を除く場合には、平均値を用いることが好ましい。平均値の場合には、それぞれの感度値の平均値を演算する感度平均値演算ステップと、チャンネルゲインを制御することにより、三つの感度平均値を一定比率とする感度値調整ステップと、を備える。
【００７０】
出力値調整ステップにおいて、一定比率とした後、特定変換マトリクスを作成し記憶する特定変換マトリクス作成ステップを備え、第１の色温度の光源下で出力値調整ステップとＸＹＺ系表色値変換ステップを行った後、第２の色温度の光源下で、特定変換マトリクスと同一の変換マトリクスを用いて、ＸＹＺ表色系の色度値に変換する。
【００７１】
次に、本発明実施形態の色彩測定装置１は、自然光を測定し、スペクトルを検出する自然光検出センサ部２と、検出されたスペクトルと、ＸＹＺ表色系の２次元色彩計３に設定された、ＣＩＥ  ＸＹＺ等色関数と等価に線形変換された特定の三つの規格化感度とを積算して出力値とし、三帯域について、それぞれ、出力値を演算する出力値演算部４と、三つの出力値を一定比率とする出力値調整部５と、出力値調整部５により三つの出力値が一定比率となるようにした後に、撮像を行うことで感度値を取得し、感度値を特定変換マトリクスによりＸＹＺ表色系の色度値に変換するＸＹＺ系表色値変換部６と、２次元色彩計３による屋外物Ｂの撮像の撮像時刻Ｔを測定する時間測定部７と、２次元色彩計３による屋外物Ｂの撮像の撮像位置Ｐを測定する位置測定部８と、２次元色彩計３による屋外物Ｂの撮像の撮像仰角Ｅ及び撮像方位Ｄを測定する仰角方位測定部９と、を備えたことを特徴とする。
【００７２】
色彩測定装置１は、スペクトルを入力し、仰角方位測定部９からの出力を入力し、出力信号を２次元色彩計３に出力する制御マイクロプロセッサ（以下、制御ＭＰＣと略す）１０を備えている。
【００７３】
第１の撮像時刻Ｔ１におけるＸＹＺ表色系の色度値ＸＹＺと、第１の撮像時刻Ｔ1より時刻の遅い第２の撮像時刻Ｔ2におけるＸＹＺ表色系の色度値を比較する比較部１１を備える。その他、電源を供給する電源部１２と、バッテリ部１３と、２次元色彩計３や制御ＭＰＣ１０等を収容する筐体１４と、２次元色彩計３で得られ記憶された各種データを、２次元色彩計３から電気信号として入力し、所定の演算を行うとともに、位置測定部８及び比較部１１を備えるコンピュータ１５（以下、ＰＣという。）と、撮像のためのスイッチの役割を果たすガングリップ１６と、２次元色彩計３とＰＣ１５の間の入力力インタフェース１７と、を備えている。以下、各部を詳細に説明する。
【００７４】
自然光検出センサ部２は、どのような気象条件でも安定な自然光スペクトルを測定することができるための拡散白色ドームフィルタ２０と、拡散白色ドームフィルタ２０からの拡散された自然光を受け入れて、自然光のスペクトルを検出するマイクロ分光器２１と、を備えている。
【００７５】
マイクロ分光器２１は、例えば、浜松フォトニクス社製のC12666MAが例示できる。これは、MEMS技術とイメージセンサ技術を融合した指先大の超小型分光器ヘッドで、感度波長範囲は340〜780nm、波長分解能は15nm maxである。対象物をマイクロ分光器で撮像することにより、分光感度特性、つまり、感度波長範囲の波長に対するスペクトルの出力値である相対感度（％）が得られる。
【００７６】
２次元色彩計３は、可視域３８０ｎｍ〜７８０ｎｍの範囲、１０ｎｍ以下の波長分解能、バッテリー消費時間４ｈ以上、測定誤差は、色差ΔＥ０．９以内、色度値誤差ｘ、ｙ１／５００以下に設定されている。
【００７７】
ＸＹＺ値からＬａｂ値への変換に利用する標準白色板の特定の波長に対する分光反射率（％）を表１に示す。標準白色板を用いる理由は、ＸＹＺ値からＬａｂ値への変換に利用するためである。標準白色板の材質は、セラミックや硫酸バリウム等を固めたものである。この分光反射率は、３８０〜７８０nmに亘り、ほぼフラットなものが好ましい。「フラット」とは、波長の変化に対する分光反射率（％）の誤差が少ないものをいう。
【００７８】
【表１】
2019020311.tif 000003
【００７９】
２次元色彩計３の分光感度はルータ条件を満たすものであって、その分光感度（Ｓ１(λ)、Ｓ２(λ)、Ｓ３(λ)）は、図１に示す通り、ＸＹＺ等色関数から、負の値を持たず、単独ピークを持つ山形であり、それぞれの分光感度曲線のピーク値が等しく、かつ分光感度の曲線の重なりはできるだけ少なくするという条件から等価変換したものである。分光感度（Ｓ１(λ)、Ｓ２(λ)、Ｓ３(λ)）は具体的には以下の特性を持つ。
記
ピーク波長            半値幅                １／１０幅
Ｓ１    ５８２ｎｍ      ５２３〜６２９ｎｍ      ４９１〜６６３ｎｍ
Ｓ２    ５４３ｎｍ      ５０６〜５８９ｎｍ      ４６４〜６３２ｎｍ
Ｓ３    ４４６ｎｍ      ４２３〜４７８ｎｍ      ４０９〜５０８ｎｍ
【００８０】
上記の分光特性Ｓ１のピーク波長を５８２±４ｎｍ、分光特性Ｓ２のピーク波長を５４３±３ｎｍ、分光特性Ｓ３のピーク波長を４４６±７ｎｍとして取り扱うこともできる。
【００８１】
三つの分光感度（Ｓ１(λ)、Ｓ２(λ)、Ｓ３(λ)）とｘ（λ）、ｙ（λ）、ｚ（λ）との関係は、数式１に示す特定変換マトリクスである。
【数１】
2019020311.tif 000004
【００８２】
分光特性自体についての詳細は特開２００５−２５７８２７号公報等を参照されたい。
【００８３】
実際の２次元色彩計の特性は、設計値からは、ある精度で外れているので、上記数式１を補正した特定変換マトリクスとすることにより、さらに精度を増すことが可能となる。補正された特定変換マトリクスは、自然光下（例えばＤ５０光源）で色票（例えば２４色カラーチャート）と標準白色板をCS2000（コニカミノルタ製（登録商標））で撮像し、ＸＹＺ値（真値）を取得し、メモリに記憶する。同じ撮影条件下で、２次元色彩計３で屋外物Ｂを撮像し、感度値Ｓ１２３を取得する。特定変換マトリクスの計算は最小２乗法による。計算式は下記の数式２〜数式４の通りである。真値との誤差が最小になるような係数を求める。数式２において、Ｘｉ，Yｉ，Ｚｉは、各画素のＸＹＺ値である。ｇ１１〜ｇ３３は３×３マトリクスの係数である。Ｓ１ｉ，Ｓ２ｉ，Ｓ３ｉは、各画素の感度値Ｓ１２３である。数式３において、ＥｒｒＸ，ＥｒｒＹ，ＥｒｒＺは、Ｘｉ，Ｙｉ，ＺｉとＳ１ｉ，Ｓ２ｉ，Ｓ３ｉの誤差の最小２乗である。数式４において、連立方程式でｇ１１，ｇ１２，ｇ１３の係数を求める。ｇ２１以降も同様であるので、割愛する。
【数２】
2019020311.tif 000005
【数３】
2019020311.tif 000006
【数４】
2019020311.tif 000007
【００８４】
上記補正マトリクスは、Ｄ５０光源下での撮像で用いるが、色温度の異なるＤ６５光源下の撮像では、新たにＤ６５用補正マトリクスを作成する必要はなく、Ｄ６５光源下での撮像でも、演算には、Ｄ５０光源で作成された補正マトリクスとしての特定変換マトリクスと同一の変換マトリクスを使用することができるので、標準白色板での調整の煩雑さが回避できる。Ｄ６５以外の色温度でも、同様に、Ｄ５０光源での特定変換マトリクスを適用できることは無論である。
【００８５】
２次元色彩計３の仕様の一例は、有効頻度値約500万画素、有効面積9.93mm×8.7mm、画像サイズ3.45μm×3.45μm、ビデオ出力12Ｂit、カメラインターフェイスgigE、フレーム数(ピント調整時)3〜7フレーム/Sec、シャッタースピード1/15,600Sec〜1/15Sec、積算時間3秒まで、Ｓ/N比60dＢ以上、レンズマウントFマウント、動作温度０℃〜40℃、動作湿度20％〜80％である。
【００８６】
２次元色彩計３は、図３に示すように、撮影レンズ３１と、この撮影レンズ３１の後方に配置された三つの光学フィルタ３２ａ、３２ｂ、３２ｃと、光学フィルタ３２ａ、３２ｂ、３２ｃの後方に配置された撮像素子３３（ＣＣＤ、ＣＭＯＳなど）と、を備えている。２次元色彩計３の三つの分光感度（Ｓ１(λ)、Ｓ２(λ)、Ｓ３(λ)）は、光学フィルタ３２ａ、３２ｂ、３２ｃの分光透過率と撮像素子３３の分光感度との積により与えられる。図３における光学フィルタ３２ａ、３２ｂ、３２ｃと撮像素子３３との配列関係は模式的に示したものにすぎない。三つの規格化感度（Ｓ１(λ)、Ｓ２(λ)、Ｓ３(λ)）に従って画像情報を演算する方式について以下に具体例を挙げるが、本実施形態ではこれらのうちいずれをも採ることができ、また、その他の方式を採ることもできる。３４は演算部であり、前述の出力値演算部４、出力値調整部５、ＸＹＺ系表色値変換部６、時間測定部７を備えている。３５は表示部である。
【００８７】
図４（ａ）に示すものはダイクロイックミラーを用いる方式である。これはダイクロイックミラー３２ｃ´により特定の波長の光を反射し、透過した残りの光について、さらに別のダイクロイックミラー３２ａ´により別の特定の波長の光を反射して分光し、撮像素子３３ａ、３３ｂ、３３ｃを三つ並列にして読み出す方式である。ここでは、ダイクロイックミラー３２ａ´が光学フィルタ３２ａ、３２ｂに相当し、ダイクロイックミラー３２ｃ´が光学フィルタ３２ｃに相当する。撮影レンズ３１から入射する光はダイクロイックミラー３２ｃ´により分光感度Ｓ３に従う光が反射され、残りの光は透過する。ダイクロイックミラー３２ｃ´により反射された光を反射鏡３６により反射して撮像素子３３ｃにより感度値Ｓ３を得る。一方、ダイクロイックミラー３２ｃ´を透過した光は、ダイクロイックミラー３２ａ´において、分光感度Ｓ１に従う光が反射され、残りの分光感度Ｓ２に従う光は透過する。ダイクロイックミラー３２ａ´を透過した光を撮像素子３３ｂにより撮像して感度値Ｓ２を得る。ダイクロイックミラー３２ａ´により反射された光を反射鏡３９により反射して撮像素子３３ａにより感度値Ｓ１を得る。感度値Ｓ１、Ｓ２、Ｓ３は、三帯域視覚感度値Ｓ１i，Ｓ２i，Ｓ３i（ｉ＝１〜n：ｎは総画素数）であり（以下、感度値Ｓ１２３と略す）、ＣＭＯＳセンサー等の撮像素子３３の電子量を示すアナログ信号をA／D変換によりデジタル信号に変換した値（画素値とも呼ばれる）である。ダイクロイックミラーに代えて同様な特性を有するダイクロイックプリズムを用いて三つに分光し、それぞれの光が透過する位置に撮像素子３３ａ、３３ｂ、３３ｃを接着することとしてもよい。
【００８８】
図４（ｂ）に示すものはフィルタターレット３７を用いる方式である。撮影レンズ３１からの入射光と同じ方向を回転軸に持つフィルタターレット３７に光学フィルタ３２ａ、３２ｂ、３２ｃを設けてこれらを機械的に回転させ、順次透過する光について撮像素子３３により、図１の分光感度（Ｓ１(λ)、Ｓ２(λ)、Ｓ３(λ)）に基づいて感度値を得る。
【００８９】
図４（ｃ）に示すものは光学フィルタ３２ａ、３２ｂ、３２ｃを撮像素子３３に微視的に貼着する方式である。撮像素子３３上における光学フィルタ３２ａ、３２ｂ、３２ｃは、ベイヤー配列型に設けられる。この配列は、格子状に分けた撮像素子３３上の領域のうち半分に光学フィルタ３２ｂを設け、残りの半分の領域に光学フィルタ３２ａと光学フィルタ３２ｃとをそれぞれ均等に配置する。すなわち、配置量は光学フィルタ３２ａ：光学フィルタ３２ｂ：光学フィルタ３２ｃ＝１：２：１となる。光学フィルタ３２ａ、３２ｂ、３２ｃの配列をベイヤー配列以外のものとすることは本実施形態において特に妨げられない。一つ一つの光学フィルタ３２ａ、３２ｂ、３２ｃは非常に微細であるため、印刷により撮像素子３３に貼着される。ただし、本発明はこの配列に意味があるのではなく、分光感度（Ｓ１(λ)、Ｓ２(λ)、Ｓ３(λ)）の特性のフィルタを撮像素子３３に貼着することにある。
【００９０】
光学フィルタ３２ａ〜３２ｃは入射光に対して光電変換を行い、撮像対象物体に対応した投影像をその光電変換面上に形成し、それぞれのＣＣＤイメージングデバイスなどの広い色域に対して十分な感度特性を有する。上記光電変換により得られた感度値Ｓ１２３を演算部３４で演算する。
【００９１】
演算部３４はＲＯＭ，ＲＡＭ，ＣＰＵ等を備え、ＲＯＭに格納された制御ソフトウェアによって動作し、感度値Ｓ１２３を、チャンネルゲインＳ１gain、Ｓ２gain、Ｓ３gainにより制御し、ＸＹＺ 表色系における三刺激値ＸＹＺに変換し取得する演算処理を行い、各種演算値を出力し、視覚化処理された画像を表示部３５に表示する。
【００９２】
マイクロ分光器２１とドームフィルタ２０による自然光検出センサ部２は、ハードウェア（回路基板、フィルタ等）を備えている。ドームフィルタ２０は、半球状で、光学的には、可視域（３８０nｍ〜７８０nm）でなるべく均一な透過拡散特性の樹脂製のドームを採用する。透過拡散特性を均一にすることは困難なため、これを通過して検出するマイクロ分光器２１側で補正することにする。ハード的に不均一な透過率のドームフィルタ２０は、光学的透過率を測定して、均一な感度に補正する機能を、マイクロ分光器２１のファームウェアに埋め込むことにより、具備する。
【００９３】
出力値演算部４は、２次元色彩計３に備えられ、検出されたスペクトルと、ＸＹＺ表色系の２次元色彩計３に設定された、ＣＩＥ  ＸＹＺ等色関数と等価に線形変換された特定の三つの規格化感度Ｓ１２３とを積算して出力値とし、三帯域について、それぞれ、出力値Ｓ１out、Ｓ２out、Ｓ３outを演算するものである。
【００９４】
出力値調整部５は、２次元色彩計３に備えられ、三つの出力値Ｓ１out、Ｓ２out、Ｓ３outを一定比率（本実施形態では同一値）とするものである。
【００９５】
ＸＹＺ系表色値変換部６は、２次元色彩計３に備えられ、Ｓ１２３をＸＹＺ値に変換するものである。
【００９６】
時間測定部７は、屋外物Ｂを２次元色彩計３で撮像する時間を測定するものである。
【００９７】
位置測定部８は、ＧＰＳにより、屋外物Ｂの位置を測定するものである。
【００９８】
仰角方位測定部９は、屋外物Ｂを撮像するときの屋外物Ｂに対する２次元色彩計３の仰角及び方位を測定するものである。
【００９９】
制御ＭＰＣ１０は、ＲＯＭ，ＲＡＭ，ＣＰＵ等を備え、ＲＯＭに格納された制御ソフトウェアによって動作するものであり、仰角方位測定部９に相当するジャイロコンパス機能を備えることを特徴とする。この機能を実現するためのハードウェア（回路基板、フィルター、ジャイロコンパス部）を備えている。ジャイロ角度測定精度誤差±０．１度以下、コンパス角度測定誤差±０．０５度以下に設定されたジャイロコンパス部と、回路部を樹脂成形筐体部に精度よく固定する方式を採用している。樹脂成形品への基板は、均一ではないため、これを補正する機能をファームウェアに持たせる必要がある。ファームウェアは、グリップハンドルであるガングリップ１６からのスイッチイベントの検出、マイクロ分光器２１からの分光データの検出、ジャイロコンパス値と、カメラ画像からの位置情報より、ジャイロコンパス補正機能を備えている。
【０１００】
自然光下での２次元色彩計３と組み合わせた各種センサの精度の選別を行っている。自然光検出センサ部２とジャイロコンパスチップを含め、目標仕様に適合したセンサの選定を行った。
【０１０１】
各種センサのプログラムを格納し、主に、自然光検出センサ部２のプログラム、及び、ジャイロコンパスチップ用プログラムを備えている。
【０１０２】
電源部１２は、マイクロ分光器２１、２次元色彩計３、制御ＭＰＣ１０等に電源を供給するものである。電源として、リチウムイオンバッテリを採用する。
【０１０３】
バッテリ部１３は、電源部１２の電源のバックアップである。本体内部での充電機能に合わせて、バッテリを手軽に交換できる機構である。
【０１０４】
筐体１４は、樹脂製である。筐体１４はガングリップ形状で、片手で持ち運び可能である。計測は、ガングリップ１６でのスイッチの１操作で完了するものとする。筐体１４は形状も、測定機としてガングリップで持ち運ぶ時の重量バランスを考慮した、部品配置等を勘案した形状にする。
【０１０５】
コンピュータ１５は、位置測定部８と比較部１１等のハードウェア（回路部、ケーブル、コネクタ配線等）及び対応するソフトウェアを備えている。本システムは、ＰＣや測定機の取扱になれていない建材分野や工場の検査部門等の方を対象とするため、操作性は、極めて簡単で、明瞭な方式とする。ここでは、コンピュータ１５はタブレットＰＣであり、ソフトウェアは、タブレットＰＣ用システムソフトウェアが格納されている。タブレットＰＣ側での２次元色彩計３を用いた計測用プログラムの内容は以下の項目である。ケーブルについては、タブレットＰＣへの接続が無理なく、かさばらなく、固定できるコネクタ−部とする。計測は、ガングリップ１６でのスイッチの１操作で完了するものとする。筐体の形状も、測定機としてガングリップ１６で持ち運ぶ時の重量バランスを考慮した、部品配置等を勘案した形状にする。
【０１０６】
（１）基準点での位置合わせ用の、ＧＰＳ位置情報検出位置合わせ機能を備えている。
【０１０７】
（２）基準点があえば、これを元に、２次元色彩計３、制御ＭＰＣ１０と協調して、２次元色彩計３の角度と方位の設定を行うマンマシン機能を備えている。
【０１０８】
（３）同じ屋外物Ｂの前回の位置、方位、仰角での計測画像を呼び出し、今回の計測位置、方位、仰角の微調整を画像で行うオーバーレイ機能を備えている。
【０１０９】
（４）今回の測定画像を計測し、前回画像との比較を行う比較機能を備えている。具体的には、色差ΔＥ、および色分布一致度の計測値を読み出して、比較演算を行う機能を備えている。
【０１１０】
（５）屋外物Ｂの番号を記憶し、この番号に対応した測定データとの関連付けを行い、同じ番号に対応する各種データを読み出す機能を備えている。
【０１１１】
マイクロ分光器２１は、上記（１）、（２）の工程に基づき、ファームウェアが設計されている。
【０１１２】
制御ＭＰＣ１０（ジャイロコンパス内蔵）は、上記（１）、（２）の工程に基づき、ファームウェアが設計されている。
【０１１３】
フィールドテストを屋外にて行い、全体の機能を満足するかの機能テストを行った。つづいて、測定値の精度が目標を満たすかどうかのテストを屋外で行った。
【０１１４】
ガングリップ１６は、手で握るとスイッチが入り、制御ＭＰＣ１０へ検出信号を送る構造である。
【０１１５】
入力力インタフェース１７は、ＵＳＢである。
【０１１６】
以上説明した、色彩測定方法及び色彩測定装置１について具体例を挙げつつ説明する。２次元色彩計３の仰角及び方位を測定するための概念を図５に、同じくＭＰＣ１０のフローチャートを図６に示す。
【０１１７】
ＭＰＣ１０の電源が入ると、ガングリップ１６が握られることで撮像が行われた否かをスイッチにより検出する（Ｓ１００）。ＮＯであれば、そのままリターンする。ＹＥＳであれば、撮像時刻の測定及び記録を行う（Ｓ１１０）。つぎに、２次元色彩計３の仰角と方位を測定し、記録する（Ｓ１２０）。測定データを２次元色彩計３に送信し、（Ｓ１３０）、リターンする。
【０１１８】
以上説明した、色彩測定方法及び色彩測定装置１について具体例を挙げつつ説明する。２次元色彩計３の演算部３４のフローチャートを図７に示す。
【０１１９】
２次元色彩計３の電源が入ると、図７に示す通り、初期化をする（初期化Ｓ２００）。屋外物Ｂを太陽Ｓの自然光下で撮像し（撮像処理Ｓ２１０）、その後、撮像された三帯域視覚感度値Ｓ１i，Ｓ２i，Ｓ３iを撮像素子３３から入力し（入力処理Ｓ２２０）、演算部３４にてチャンネルゲインＳ１gain、Ｓ２gain、Ｓ３gainを制御した後、感度値Ｓ１２３とし、これを、三刺激値ＸＹＺに変換する（変換処理Ｓ２３０）。ＸＹＺからｘｙ値を演算し、出力する（出力Ｓ２４０）。終了の場合、処理を終了する。終了でない場合、Ｓ２１０に処理が戻る。画像は表示部３５に表示される。
【０１２０】
図８の表示部３５の操作画面を説明する。（１）は画像表示領域を示す。２次元色彩計３のライブ中の画像や、サムネイル表示に入っている画像を選択した場合、この場所に表示される。（２）は画像表示縮尺である。Zoomの設定を変更することで、表示する画像の倍率を変えることができる。Gridチェックボックスグリッド線表示のOn/Offを切り替える。（３）は画像撮影・記録である。撮影開始、停止、保存ができるボタンである。LiveもしくはFocusボタンを押すとボタン表示がFreezeに変わり、Freezeボタンを押すと映像が止まる。ライブ表示前もしくはライブ表示停止中のボタン表示カラー画像をライブ中のボタン表示モノクロ画像をライブ中のボタン表示Liveボタンカラー画像のライブ表示が開始される。（４）はオーバーレイである。サムネイル内の画像を重ね合わせて画像を表示する。（５）は画像内のヒストグラム表示とピクセル値表示である。表示されている画像の中の色のヒストグラムを表示する。表示の種類はＳ１２３（２次元色彩計３からの感度値Ｓ１２３）とRGBの二つが選べる。ヒストグラム表示の下にピクセル値が表示される。Ｓ１２３は２次元色彩計からの画像データであり、人の視覚特性に近い感度のデータである。ヒストグラム表示は、画像の各チャンネル（Ｓ１２３）の階調分布を示す。色度図は人間の眼がとらえることのできる色の範囲を平面で示す図である。xy値は色度図における座標値である。ピクセル値はxy値、Lab値、Ｓ１２３値の3種類から選択できる。Image画像表示領域に表示されている画像の平均値である。ROIは選択されているプロファイルフレーム内の平均値である。Cousorは画像表示領域に表示されている画像のマウスカーソル下のピクセル値である。右横のMakerのボックスにチェックを入れると、マウスカーソル下のピクセル値は色度図ではどのあたりなのかを（５）の領域に「＋」で表示することができる。（６）は色度図である。表示中の画像に含まれる色データが色度図上にプロットされる。（７）は各種設定である。Color Tempチェックボックスは色温度シミュレーションのOn/Offを指定する。Onにするとスライダが表示される。ライブ中、このスライダで色温度シミュレーションの調整が可能である。プロファイルフレームは白枠で設定される。（８）はサムネイルである。サムネイルは、撮影した画像などを一覧表示している小さな画像である。
【０１２１】
特徴的な処理は次の通りである。
【０１２２】
（１）自然光検出センサ部２で、自然光のスペクトル値を測定する。
【０１２３】
（２）色フィルター特性によるＳ１２３画像を用いて、特定温度値（５０００Ｋ相当など）の色温度での撮影条件に合わせた色温度変換演算を行い、色温度が変化する自然光下で撮影した色度値を、一定の条件での数値に変換補正する。
【０１２４】
ゲインＳ１gain，Ｓ２gain，Ｓ３gainの制御は、演算部３４のゲイン制御部で行う。演算部３４は、２次元色彩計３のゲインの初期設定を行ったり、後段の各種機能の処理結果に基づいてゲインの制御、設定変更を行ったりする機能を備えている。また、ゲイン制御は、ゲイン決定部により決定されるゲインで撮像が行われるよう２次元色彩計３を制御する。ソフトウェアのみ、ハードウェアのみ、又は、ハードウェアとソフトウェアの組み合わせのいずれでも実施可能である。上述のゲインＳ１gain，Ｓ２gain，Ｓ３gainの制御は、Ｓ１、Ｓ２、Ｓ３のそれぞれの帯域で変更できる構成であり、具体的には、撮像素子３３のゲイン等を変更する例が挙げられる。ゲインＳ１gain，Ｓ２gain，Ｓ３gainと最大のデジタル値との関係について、各チャンネルの感度値の最大ビット数が１２ビットであれば、４０９６階調となるが、いずれの階調にゲインを揃えるかは、想定される、その他の色温度での信号を考慮して設計する。例えば、Ｄ６５では、Ｓ３チャンネルの画素信号のレベルが高く出力されるので、この範囲が撮像素子の最大信号階調を超えないように、レンズの絞りを絞るか、全体のチャンネルゲインを下げる。
【０１２５】
ゲイン制御に代えて、Ｓ１感度値、Ｓ２感度値、Ｓ３感度値をデジタル処理することで、各チャンネルの感度平均値Ｈを同一の値とすることも可能である。
【０１２６】
図９（ａ）（ｂ）に示す通り、感度値Ｓ１，Ｓ２，Ｓ３と光の強さＩについて説明する。図９（ａ）に示す通り、色温度２９００Ｋの自然光であると、２次元色彩計３の感度値Ｓ３が落ち、Ｓ１が上がる。スペクトルの相対強度Iに応じて、感度値Ｓ１，Ｓ２，Ｓ３は長波長側の頂点が高くなり、面積も大きくなった分布をもつ。一方、図９（ｂ）に示す通り、色温度が６５００Ｋであると、２次元色彩計３の感度値Ｓ１が落ち、Ｓ３が上がる。スペクトルの相対強度Iに応じて、感度値Ｓ１，Ｓ２，Ｓ３は短波長側の頂点が高くなり、面積も大きくなった分布をもつ。５０００Ｋでは（ａ）（ｂ）の中間の分布になる。チャンネルゲインＳ１gain，Ｓ２gain，Ｓ３gainを制御することにより、各チャンネルの感度平均値Ｈを同一の値とすることで、感度値Ｓ１２３やｘｙ色度値の色温度の変化による誤差を極めて少なくすることができる。
【０１２７】
図１０は上記のチャンネルゲインＳ１gain，Ｓ２gain，Ｓ３gainの制御前後の画素カウント値ＡＣのヒストグラム分布の変化を示すグラフである。チャンネルゲインＳ１gain，Ｓ２gain，Ｓ３gainの制御前は、Ｓ１、Ｓ２、Ｓ３のそれぞれの画素カウント値ＡＣの曲線はシフトしているが、制御後は、３つの画素カウント値ＡＣを示す曲線は重畳している。例えば、１万画素（１００×１００）の解像度である場合、チャンネルゲイン制御前に、Ｓ１に属する画素の画素カウント値ＡＣ（Ｓ１）が８０００感度カウント値、Ｓ２に属する画素カウント値ＡＣ（Ｓ２）が１００００感度カウント値、Ｓ３に属する画素カウント値ＡＣ（Ｓ２）が１２０００感度カウント値の場合、Ｓ1感度値の平均値＝Ｓ２感度値の平均値Ｓ２＝Ｓ３感度値の平均値となるように調整するチャンネルゲインＳ１gain，Ｓ２gain，Ｓ３gainの制御後は、画素カウント値ＡＣ（Ｓ１）、画素カウント値ＡＣ（Ｓ２）、画素カウント値ＡＣ（Ｓ３）の分布が重なり合うといった例が挙げられる。一定比率とすることも可能であることは無論である。この比率は諸般の条件によって適宜設定が可能である。どのように色温度が変化しても、チャンネルゲインＳ１gain，Ｓ２gain，Ｓ３gainの制御により、同一値（同一値のほか、一定比率でも実施可能）に制御することで、誤差の少ない感度値Ｓ１２３やｘｙ色度値を得ることが可能である。
【０１２８】
チャンネルゲイン制御例については、Ｄ６５光源の自然光下のデータでＤ５０光源での自然光下と同様のｘｙ値が得られる変換が挙げられる。自然光下でも当然可能である。このゲイン制御は、Ｓ１、Ｓ２、Ｓ３の各値の屋外物Ｂでの感度平均値Ｈ（実施形態）もしくは、小型の分光器の可視域のスペクトルとＳ１，Ｓ２，Ｓ３カーブの積の積分値が、等しくなるように、Ｓ１，Ｓ２，Ｓ３ゲインを制御するものである（実施形態）。
【０１２９】
三刺激値ＸＹＺからＹ´ｘｙ表色系への変換式を数式５、６に挙げる。ここでは２次元色彩計３とともに輝度計（図示略）を使用し、Ｙは輝度計の値（ｎｔ）により校正してＹ´とした。色空間の変換式は慣用されているため、その他の詳しい式については割愛する。
【０１３０】
ＸＹＺ表色系は、現在CIE標準表色系として各表色系の基礎となっている。光の三原色(R＝赤、G＝緑、B＝青紫)の加法混色の原理に基づいて発展したもので、色度図を使って色をYxyの3つの値で表わす。Yが反射率で明度に対応し、xyが色度になる。
【数５】
2019020311.tif 000008
【数６】
2019020311.tif 000009
【０１３１】
撮像処理Ｓ２１０は、三つの分光感度（Ｓ１(λ)、Ｓ２(λ)、Ｓ３(λ)）を基に２次元色彩計３によって対象物を撮像する工程である（図２、図７参照）。分光感度（Ｓ１(λ)、Ｓ２(λ)、Ｓ３(λ)）は図１に示す。撮影レンズ３１と光学フィルタ３２a、３２ｂ、３２ｃと撮像素子３３により撮像されると同時に入力処理Ｓ２２０が連続的に行われる。
【０１３２】
本実施形態の色彩測定方法及び装置の具体処理例を図１１〜図１３を参照して説明する。本実施形態は、マイクロ分光器２１で自然光を測定し、スペクトルＩ（ｉ）を検出するスペクトル検出ステップと、検出されたスペクトルＩと、ＸＹＺ表色系の２次元色彩計３に設定された、ＣＩＥ  ＸＹＺ等色関数と等価に線形変換された特定の三つの規格化感度とを積算して出力値とし、三帯域について、それぞれ、感度値に対する積分値である出力値Ｓ１out、Ｓ２out、Ｓ３outを演算する出力値演算ステップと、２次元色彩計３のチャンネルゲインＳ１gain，Ｓ２gain，Ｓ３gainを制御することにより、三つの出力値Ｓ１out、Ｓ２out、Ｓ３outを一定比率とする出力値調整ステップと、出力値調整ステップにより三つの出力値Ｓ１out、Ｓ２out、Ｓ３outが同一となるようにした後に、撮像を行うことで感度値Ｓ１２３を取得し、感度値Ｓ１２３を特定変換マトリクスによりＸＹＺ表色系の色度値に変換するＸＹＺ系表色値変換ステップと、を備えたことを特徴とする。三つの出力値Ｓ１out、Ｓ２out、Ｓ３outが一定比率となる実施例も可能である。
【０１３３】
２次元色彩計３は本実施形態の図３に示す回路であり、図２に示す分光器２１等と接続したもので、その時の自然光を測定し、このとき撮影により得られた出力値Ｓ１out、Ｓ２out、Ｓ３outを積算し、常にどのような他の色温度でも同じｘｙ値を取得できることが特徴である。つまり、測定対象が、どのような自然光下であっても、定められた一定の色温度の環境下で測定したような色度値ｘｙが得られる。常に一定の色度値ｘｙの数値を得ることにより、屋外の色温度変化に依らない色数値の定量化を可能とする。２次元色彩計３に分光器２１を内蔵し、一体とし、または、接続し、通信可能な構成としてもよい。
【０１３４】
図２において、マイクロ分光器２１が制御ＭＰＣ１０に接続され、制御ＭＰＣ１０に２次元色彩計３が接続され、２次元色彩計３とコンピュータ１５とが通信可能に接続されている。
【０１３５】
基本的には２次元色彩計３の制御ソフトウェアで、データの取得をし、図３に示すコンピュータ１５（例えば、タブレットＰＣ）側に制御ソフトウェアを備え、２次元色彩計３を接続し、２次元色彩計３からコンピュータ１５に、マイクロ分光器２１の出力と、規格化感度Ｓ１，Ｓ２，Ｓ３との積である、出力値Ｓ１out、Ｓ２out、Ｓ３out、及び、撮像により得られた感度値Ｓ１２３を送信し、コンピュータ１５でゲイン制御のコマンドを２次元色彩計３に送って、２次元色彩計３でチャンネルゲインＳ１gain，Ｓ２gain，Ｓ３gainの制御を行った後、撮像した感度値Ｓ１２３を、２次元色彩計３からコンピュータ１５に送信し、感度値Ｓ１２３からＸＹＺ値に数式１によりマトリクス変換演算の処理を行う。
【０１３６】
マイクロ分光器２１から演算部３４に入力するスペクトル値Ｉ（ｉ）と、図１に示す規格化感度Ｓ１（i）、Ｓ２（i）、Ｓ３（i）の各々との積算値Ｓ１out、Ｓ２out、Ｓ３outは可視領域の波長の範囲（３８０nm〜７８０nm）で特定のスペクトル値（ｉ＝１〜n：ｎは３８０〜７８０の分光範囲を特定の分解能例えば5nm分解能で割った数）について積算した値となる。計算式は数式７となる。
【数７】
2019020311.tif 000010
【０１３７】
実施形態では、２次元色彩計３でのチャンネルゲインＳ１gain，Ｓ２gain，Ｓ３gainの制御は、コンピュータ１５からのコマンドに従って実施される。２次元色彩計３の演算部３４ですべてを処理して、２次元色彩計３とコンピュータ１５を一体化しても良い。
【０１３８】
図１１に示す通りの処理Ｓ３００〜Ｓ３２０の処理がコンピュータ１５により、繰り返し、サブルーチンで処理される。
【０１３９】
Ｓ３００においてマイクロ分光器２１により自然光（例えば、Ｔ５０００Ｋ（例示であり他の温度Ｔ６５００等でもよい）での波長λに対する光の強さＩを測定した測定値と、規格化感度の積である出力値Ｓ１out、Ｓ２out、Ｓ３outを２次元色彩計３から受信する。
【０１４０】
Ｓ３１０において、チャンネルゲインＳ１gain，Ｓ２gain，Ｓ３gainを制御し、出力値を同一に制御するコマンドを作成し、２次元色彩計３に送信する。
【０１４１】
Ｓ３２０で、２次元色彩計３でチャンネルゲインＳ１gain，Ｓ２gain，Ｓ３gainを制御し完了した後、撮像を行い、感度値Ｓ１２３を受信し、感度値Ｓ１２３をコンピュータ１５でＸＹＺ値に変換する。
【０１４２】
以上の処理を図１２、図１３の例を挙げて説明する。マイクロ分光器２１によりＴ＝５０００Ｋ、６５００ＫでのスペクトルＩ（ｉ）を測定する。スペクトルＩ（ｉ）を、規格化感度Ｓ１，Ｓ２，Ｓ３で掛け算し、これらをそれぞれ積分して斜線で示す曲線範囲内の出力値Ｓ１out、Ｓ２out、Ｓ３outをコンピュータ１５に出力する。コンピュータ１５からのコマンドで２次元色彩計３がチャンネルゲインＳ１gain，Ｓ２gain，Ｓ３gainを制御する。この結果、図１２、１３に示す通り、ゲイン制御後は、出力値Ｓ１out、Ｓ２out、Ｓ３outが同一値となり、図２２に示す通り、ヒストグラム分布が変化することは実施形態と同様である。
【０１４３】
本実施形態による、２次元色彩計３のＤ５０光源自然光下色度値、Ｄ６５光源自然光下色度値は、ＣＳ２０００ｘｙ色度値と同様の結果を得ることができ、２次元色彩計３は、自然色温度に依らず一定の色座標を示す。本実施形態の２次元色彩計３は標準白色板を使用せずに、分光器によりＳ1out、Ｓ２out、Ｓ３outを同一値とするものであるが、前述の通り、Ｌａｂ変換のための校正には標準白色板を利用する。
【０１４４】
つぎにコンピュータ１５のＧＰＳによる位置測定のフローチャートを図１４に示す。まず、処理が開始されると、ＧＰＳによりコンピュータ１５の位置を測定し、コンピュータ１５に記録し（Ｓ４１０）、図５に示す通り、前回の測定結果（撮像日時、撮像時ＧＰＳ位置、撮像仰角及び撮像方向）を読み出して、今回の測定結果（撮像日時、撮像時ＧＰＳ位置、撮像仰角及び撮像方向）との色度値、色差ΔＥを比較する処理（Ｓ４２０）を行い、処理を終了する。これにより、経年劣化の程度が正確に比較できる。
【０１４５】
つぎに本発明実施形態の色彩測定方法による色度値ｘｙの正確性について検証するための手順と、検証結果について説明する。
【０１４６】
図１５、図１６にＲＧＢデジタルカメラのＤ５０光源の自然光下のｘｙ色度値と、Ｄ６５光源の自然光下のｘｙ色度値、ＣＳ２０００のｘｙ色度値との比較を示す。デジタルカメラは、自然色温度に依らず誤差が大きい。色温度が変わるとその差も大きい。
【０１４７】
図１７、図１８は、２次元色彩計３のＤ５０光源の自然光下のｘｙ色度値と、Ｄ６５光源の自然光下のｘｙ色度値との比較である。ゲインを無制御とすると、Ｄ５０光源からＤ６５光源に自然光を変更した後のｘｙ色度値の測定誤差は、元のＤ５０光源と比較して誤差が大きい。
【０１４８】
これに対して、図１９、図２０に示す通り、本実施形態の色彩測定方法によれば、Ｄ５０光源からＤ６５光源に自然光を変換した後のｘｙ色度値の測定誤差は、元のＤ５０光源と精度は大きく変わらない。
【０１４９】
本実施形態の色彩測定方法は、自然色温度に依らず、一定のｘｙ色度値の色座標を示す。コニカミノルタ（登録商標）ＣＳ-２０００（以下、ＣＳ−２０００と略す）に近い正確な色の測定値（真値と考えられる）となり、自然色温度に依らず、一定の色座標を示す。自然光に依らないＸＹＺ値を出力することにより、L*a*b*も、従来のデジタルカメラや、カラーチェッカーのように接触式でのＤ65光源下での値と同じように、非接触で遠方でも測定できる機能がある。
【０１５０】
図２１にＤ５０光源データとＤ６５光源からＤ５０光源に変換したデータ（単純白色校正）とのＬａｂおよびΔＥを示す。ＬａｂおよびΔＥにおいても、上記ｘｙ色度値と同様の結果が得られた。
【０１５１】
ＸＹＺ値からＬａｂ値への変換は数式８により行った。
【数８】
2019020311.tif 000011
【０１５２】
自然光に依らないＸＹＺ数値を出力することにより、L*a*b*も、従来の分光放射輝度計や分光測色計の接触式でのＤ６５光源下での値と同じように、屋外での非接触で遠方の建造物でも測定できる機能を実現できる。
【０１５３】
上述した演算処理においては、分光感度のＳ１２３の特性カーブが図１で示す国立大学法人静岡大学が提案する正確な値であった場合には、正確な値を指し示す。実際の２次元色彩計の特性は、設計値からはある精度で外れているので、補正マトリクスを入れることにより、さらに精度を増すことが可能となる。
【０１５４】
この補正マトリクスは、例えば、予め、Ｄ６５光源の自然光下での補正値を入力して作成し、各係数は、２次元色彩計３の標準色温度５０００Ｋとの差の係数として、割り振る。これにより、例えば、５０００Ｋ〜６５００Ｋの範囲の色温度の自然光に対応した５０００Ｋに正確に換算したＸＹＺ値が求められる。これをさらに、Ｌ＊ａ＊ｂ＊の値に換算することも容易にできる。色温度適応範囲を広げるためには、補正マトリクスを複数温度領域ごとに設けるなどの対応が可能となる。
【０１５５】
以上説明した通り、本実施形態により、白色値の出力を自然のＤ５０光源と同じにするためにＤ５０光源での変換マトリクスで変換しただけの簡便な方法により、白色値以外の出力も、同じＸＹＺ出力が得られるため、結果として、同じ色度値が得られる。即ち、様々な自然光で撮影しても、２次元色彩計３のチャンネルゲインを制御し、感度平均値Ｈの値を合わせ、撮影するだけで、Ｓ１２３からＸＹＺ値への変換マトリクスを取った時の自然条件（この説明ではＤ５０光源）と等価な出力値がＤ６５光源でも得られる。そのため、屋外の太陽光などの自然光が、天候や季節に応じて変わり自然光の色温度が変化しても、一定の色温度で測定した測定値が得られる。
【０１５６】
自然光を利用するので、専用の照明を用いずに、常に一定の色温度下のデータの定量が行える。
【０１５７】
本実施形態は、非接触で、広範囲な屋外対象物を色測定可能な、２次元色彩計（例えば、有限会社パパラボの２次元測色計RC-300）に、マイクロ分光器を搭載し、自然光スペクトラムを同時測色する機能を付加することにより、一定の基準となる光源（D50等）での数値をシミュレーションによって得られることにより、気象条件によって変化する自然光（晴れ、曇り色温度変化）下での、大型測定対象物の色劣化状況を把握することが可能となり、塗料の塗り替え時期の適正判定や、汚れの評価等に用いることが可能となる。
【０１５８】
本発明は、大型対象物の測色が単にできるということに留まらず、色温度を補正する革新的なアイデアにより天候や時間の制限を緩和して色管理の活用範囲を大幅に拡げるものである。
【０１５９】
分光測色計は、ある一定面積の平均的な色を測定するため、対象物が一定の色でないものや、メタリック感のあるもの、凹凸による質感のある物等の評価については、ヒトの目に頼っており、こうした課題のある分野では、色に加えて質感も定量化出来る２次元色彩計システムが、性能的に優位に立っている。
【０１６０】
２次元色彩計は、非接触にて大型の対象物の測色が出来る点でも優位性がある。更に本提案システムは、自然光等の影響をなくすための照明が不要であり、測色する位置をタブレットPC上のGPS機能および２次元色彩計本体内蔵のジャイロコンパスセンサーにより、位置、角度等を記録することにより、次回以降についても同じ位置より、観測することが可能となる。
【０１６１】
低価格での提供により、新しい市場の要求を満足させることができる。
【０１６２】
本発明は、雨天以外であれば、天候に関わらず、遠方から少ない撮影（測色）で経年変化や錆の兆候等を定量的に、安全かつ低コストで管理することを実現でき、大変高い社会性および公益性が、期待出来る。
【０１６３】
具体的な用途例としては、例えば、紫外線等による塗装色の変化、建物のコンクリートの色の変化（鉄筋からのサビの出現）等、住宅建材の外壁の色の変化、看板コーポレートカラーの変化のモニタリング、大型建機・電車・飛行機の塗装検査、橋梁の塗装やコンクリートの色経過変化管理等がある。橋梁等の構築物、住宅建材の色の経年劣化による変化（色の定量化）、看板コーポレートカラー色の変化のモニタリング、大型建機・電車・飛行機等の塗装等の検査、コンクリート壁、屋外タンクの色の経過変化など、多様な方面での活用が期待できる。塗料の塗り替えの条件を定量的に算出したり、大型の輸送装置（飛行機、列車等）の塗装劣化や汚れの評価等に用いることが可能となる。
【０１６４】
２次元色彩計に自然光を同時測定する機能を付加することにより、一定の基準となる光源（D50等）での数値をシミュレーションによって得られることにより、気象条件によって変化する自然光（晴れ、曇りの色温度変化）下での、色の劣化状況等を把握することが可能となる。
【０１６５】
本発明の色彩測定方法は、自然光の色温度に依存せずに撮像の色度値を定量化できるため、２次元測色の屋外測定の範囲が拡大できる。
【０１６６】
なお、本発明の実施形態は、上記の実施形態に何ら限定されるものではなく、本発明の技術的思想を逸脱しない範囲において、改変等を加えることができるものであり、それらの改変、均等物等も本発明の技術的範囲に含まれ、技術的範囲に属する限り種々の形態を採り得ることは言うまでもない。例えば、各チャンネルゲインＳ１gain，Ｓ２gain，Ｓ３gainをゲイン制御して、感度平均値Ｈ又は出力値Ｓ１out、Ｓ２out、Ｓ３outを同一値にする、或いは、一定比率に制御する制御手法は実施形態に記載の方法に限られず、その他の方法によっても本発明の技術的思想は実施できる。建築建材色評価、コンクリート色評価、大型建機、輸送機用色評価、温度特性、防滴仕様等を考慮して設計を行うこととしてもよい。
【産業上の利用可能性】
【０１６７】
屋外での建物や製品の色管理は定量的な管理が出来るようになり、建築業界や輸送機器業界等の様々な業界において、色管理に変革をもたらすこととなり、産業界で大きな管理コスト削減や品質ロス削減に繋がる。
【符号の説明】
【０１６８】
Ｂ・・・屋外物
Ｄ・・・撮像方位
Ｅ・・・撮像仰角
Ｈ・・・感度平均値
Ｉ・・・スペクトル
Ｐ・・・撮像位置
Ｔ・・・撮像時刻
１０・・・制御ＭＰＣ
Ｓ・・・太陽
Ｓ１gain，Ｓ２gain，Ｓ３gain・・・チャンネルゲイン
Ｓ１，Ｓ２，Ｓ３・・・規格化感度
Ｓ１i，Ｓ２i，Ｓ３i・・・三帯域視覚感度値
Ｓ２out、Ｓ２out、Ｓ３out・・・出力値
Ｔ、Ｔ1、Ｔ２・・・撮像時刻
ＸＹＺ・・・出力値（色度値）
ΔＥ・・・色差
λ・・・波長
１・・・色彩測定装置
２・・・自然光検出センサ部
３・・・２次元色彩計
４・・・出力値演算部
５・・・出力値調整部
６・・・ＸＹＺ系表色値変換部
７・・・時間測定部
８・・・位置測定部
９・・・仰角方位測定部
１１・・・比較部
１２・・・電源部
１３・・・バッテリ部
１４・・・筐体
１５・・・コンピュータ
１６・・・ガングリップ
１７・・・入力力インタフェース
２０・・・拡散白色ドームフィルタ
２１・・・マイクロ分光器
３１・・・撮影レンズ
３２ａ，３２ｂ，３２ｃ・・・光学フィルタ
３３，３３ａ，３３ｂ，３３ｃ・・・撮像素子
３４・・・演算部
３５・・・表示部
３６・・・反射鏡
３７・・・フィルタターレット
３９・・・反射鏡
【図１】
2019020311.tif 000012
【図２】
2019020311.tif 000013
【図３】
2019020311.tif 000014
【図４】
2019020311.tif 000015
【図５】
2019020311.tif 000016
【図６】
2019020311.tif 000017
【図７】
2019020311.tif 000018
【図８】
2019020311.tif 000019
【図９】
2019020311.tif 000020
【図１０】
2019020311.tif 000021
【図１１】
2019020311.tif 000022
【図１２】
2019020311.tif 000023
【図１３】
2019020311.tif 000024
【図１４】
2019020311.tif 000025
【図１５】
2019020311.tif 000026
【図１６】
2019020311.tif 000027
【図１７】
2019020311.tif 000028
【図１８】
2019020311.tif 000029
【図１９】
2019020311.tif 000030
【図２０】
2019020311.tif 000031
【図２１】
2019020311.tif 000032
【図２２】
2019020311.tif 000033